(57)【要約】【課題】床パンの周縁から起立する起立片の上下長さが短く形成されても、壁パネルの床パンへの取り付け強度が低下してしまうことのない壁パネルの床パンへの取付構造を提供する。【解決手段】壁パネル２は下端部より後方へ突出する下横片２２とその後端部から上方へ突出する後縦片２３とを備え、後縦片２３に被取付孔４が形成される。床パン１は周縁から起立片１２が突出し、起立片１２には、下面が略水平又は先端程下がる突起部６が設けられる。壁パネル保持部材３は、起立片１２を前後から挟む前保持片３１及び後保持片３２を備え、前保持片３１に取付部５が設けられ、後保持片３２に当接部７が設けられる。被取付孔４に取付部５が取り付けられて壁パネル保持部材３が壁パネル２に取り付けられ、起立片１２が前保持片３１と後保持片３２との間に挟まれると共に当接部７が突起部６の下面に当接することで壁パネル２が床パン１に取り付けられる。【選択図】        図１
2012132172.tif 000002
【特許請求の範囲】
【請求項１】
パネル本体の下端部より後方へ突出する下横片と前記下横片の後端部から上方へ突出する後縦片とを備えた壁パネルと、床部の周縁から上方に起立片が突出する床パンと、前記起立片を前後より挟む前保持片及び後保持片と前記前保持片と前記後保持片とを上側で連結する上連結片とを備えた壁パネル保持部材と、からなり、前記前保持片には前記後縦片に取り付けられる取付部が設けられ、前記後縦片には前記取付部が取り付けられる被取付部が設けられ、前記起立片には、後端位置に下面が略水平又は先端程下方に位置する突起部が設けられると共に、前記後保持片には、前記突起部の下面に当接する当接部が設けられ、前記被取付部に前記取付部が取り付けられることで前記壁パネル保持部材が前記壁パネルに取り付けられ、前記起立片が前記前保持片と前記後保持片との間に挟まれると共に前記当接部が前記突起部の下面に当接することで前記壁パネルが前記床パンに取り付けられることを特徴とする壁パネルの床パンへの取付構造。
【請求項２】
前記取付部は、小径基部とその先端側の大径先端部とからなり、前記被取付部は、前記大径先端部の径よりも大きい大径孔と、前記大径先端部の径よりも小さく前記小径基部の径よりも大きい幅の小幅孔とが連通する被取付孔であることを特徴とする請求項１記載の壁パネルの床パンへの取付構造。
【発明の詳細な説明】
【技術分野】
【０００１】
本発明は、床パンの周縁に壁パネルを載置して取り付ける壁パネルの床パンへの取付構造に関するものである。
【背景技術】
【０００２】
従来より、床パンの周縁に壁パネルを載置して構成されるユニットバス等のユニットルームが知られている。
【０００３】
図３に従来例（例えば特許文献１参照）が示される。図３（ａ）に示されるように、壁パネル２は、パネル本体２１の下端部より後方へ突出する下横片２２とその後端部から上方へ突出する後縦片２３とを備えており、図３（ｂ）に示されるように、後縦片２３には被取付孔４が形成される。床パン１は床部１１の周縁から上方に起立片１２が突出される。壁パネル保持部材３は、床パン１の起立片１２を前後から挟む前保持片３１及び後保持片３２とを備え、前保持片３１には被取付孔４に取り付けられる取付部５が設けられる。なお、被取付孔４は、大径孔４１と小幅孔４２とからなる所謂だるま孔で、図３（ｂ）に示される状態から取付部５の大径先端部５２が大径孔４２から挿通された後、図３（ｃ）に示されるように小径基部５１が小幅孔４２へと移動して、壁パネル保持部材３が壁パネル２に取り付けられる。そして、図４に示されるように、前保持片３１と後保持片３２との間に床パン１の起立片１２が挟まれるように壁パネル２が起立片１２に載置され、壁パネル２が床パン１に取り付けられている。
【先行技術文献】
【特許文献】
【０００４】
【特許文献１】特開２００３−２７７５８号公報
【発明の概要】
【発明が解決しようとする課題】
【０００５】
近年、バリアフリー化が進められており、床パン１がバリアフリー化されるにあたっては、起立片１２の上下長さが短く形成される必要が生じる。しかしながら、起立片１２は壁パネル２の床パン１への取り付けに利用されているため、起立片１２の上下長さが短く形成されてしまうと、壁パネル２の床パン１への取り付け強度が低下してしまうという問題がある。
【０００６】
本発明は上記従来の問題点に鑑みて発明したものであって、その目的とするところは、床パンの周縁から上方に突出する起立片の上下長さが従来より短く形成されても、壁パネルの床パンへの取り付け強度が低下してしまうことのない壁パネルの床パンへの取付構造を提供することを課題とするものである。
【課題を解決するための手段】
【０００７】
上記課題を解決するために、本発明は、以下のような構成とする。
【０００８】
パネル本体の下端部より後方へ突出する下横片と前記下横片の後端部から上方へ突出する後縦片とを備えた壁パネルと、床部の周縁から上方に起立片が突出する床パンと、前記起立片を前後より挟む前保持片及び後保持片と前記前保持片と前記後保持片とを上側で連結する上連結片とを備えた壁パネル保持部材と、からなり、前記前保持片には前記後縦片に取り付けられる取付部が設けられ、前記後縦片には前記取付部が取り付けられる被取付部が設けられ、前記起立片には、後端位置に下面が略水平又は先端程下方に位置する突起部が設けられると共に、前記後保持片には、前記突起部の下面に当接する当接部が設けられ、前記被取付部に前記取付部が取り付けられることで前記壁パネル保持部材が前記壁パネルに取り付けられ、前記起立片が前記前保持片と前記後保持片との間に挟まれると共に前記当接部が前記突起部の下面に当接することで前記壁パネルが前記床パンに取り付けられる。
【０００９】
また、前記取付部は、小径基部とその先端側の大径先端部とからなり、前記被取付部は、前記大径先端部の径よりも大きい大径孔と、前記大径先端部の径よりも小さく前記小径基部の径よりも大きい幅の小幅孔とが連通する被取付孔であることが好ましい。
【発明の効果】
【００１０】
本発明は、壁パネル保持部材の当接部が床パンの突起部の下面に当接することで、床パンの周縁から上方に突出する起立片の上下長さが従来より短く形成されるものにおいても、壁パネルの床パンへの取り付け強度が低下してしまうことがない。
【図面の簡単な説明】
【００１１】
【図１】本発明の一実施形態の要部断面図である。
【図２】他の実施形態の要部断面図である。
【図３】従来例を示し、（ａ）は要部断面図であり、（ｂ）（ｃ）は壁パネル保持部材の壁パネルへの取り付けを説明する要部の斜視図である。
【図４】同上の従来例の壁パネルの床パンへの取り付けを説明する斜視図である。
【発明を実施するための形態】
【００１２】
以下、本発明の一実施形態について図１に基いて説明する。
【００１３】
床パン１は、床部１１と、床部１１の周縁から上方に突出する起立片１２とからなるもので、本実施形態では、床部１１は平面視略矩形状をしているが、特に形状は限定されない。本発明においては、起立片１２は、バリアフリー化のために上下長さが通常の長さ（２０〜３０ｍｍ程度）よりも短く（５〜１０ｍｍ程度）形成されている。
【００１４】
壁パネル２は、パネル本体２１と、パネル本体２１の下端部より後方へ突出する下横片２２と、下横片２２の後端部から上方へ突出する後縦片２３と、を備えたものである。本実施形態では、パネル本体２１は、鋼板等の金属板からなる正面視略矩形状をしたもので、後面側に断熱材２４が貼付けられている。下横片２２は、本実施形態では、金属板がパネル本体２１の下端部で後方に折り曲げられて一体に連設されている。後縦片２３には、被取付部が形成されるもので、後述する。この壁パネル２は、下横片２２が床パン１の床部１１の起立片１２の内側部分に載置され、壁パネル保持部材３を介して後縦片２３が起立片１２に固定される。
【００１５】
壁パネル保持部材３は、起立片１２を前後より挟む前保持片３１と後保持片３２と、前保持片３１と後保持片３２とを上側で連結する上連結片３３と、を備えたものである。前保持片３１の後面が起立片１２の前面に当接すると共に、後保持片３２の前面が起立片１２の後面に当接して、起立片１２を挟むものである。上連結片３３は、前保持片３１と後保持片３２とを前後に連結するものである。
【００１６】
前保持片３１には、壁パネル２に取り付けられるための取付部５が設けられる。取付部５は、前保持片３１の前面から前方に突出する小径基部５１と、小径基部５１の先端側に形成される大径先端部５２と、からなるものである。大径先端部５２の径は、小径基部５１の径よりも大きく形成されている。
【００１７】
壁パネル２の後縦片２３には、この取付部５が取り付けられる被取付部として被取付孔４が形成されるものである。被取付孔４は、大径先端部５２の径よりも大きい大径孔４１と、大径先端部５２の径よりも小さく小径基部５１の径よりも大きい幅の小幅孔４２と、が連通された所謂だるま孔状に形成される。
【００１８】
なお、本実施形態では、取付部５は小径基部５１と大径先端部５２とからなると共に、被取付部は大径孔４１と小幅孔４２からなる被取付孔４であるが、壁パネル保持部材３の壁パネル２への取付は、他の方法での係合、螺着、かしめ、接着等、特に限定されない。
【００１９】
本発明においては、起立片１２の後端位置に突起部６が設けられると共に、後保持片３２に突起部６の下面に当接する当接部７が設けられるものである。突起部６は、下面が略水平又は先端程下方に位置するように形成されるもので、本実施形態では起立片１２の上端部から後方に略水平に連設される横片１３で構成される。また当接部７は、本実施形態では後保持片３２の下端部から前方に連設される当接片３４で構成される。
【００２０】
壁パネル２の床パン１への取り付けについて説明する。まず、壁パネル保持部材３が壁パネル２に取り付けられる。これは、取付部５の大径先端部５２が大径孔４１に挿通されていき、小径基部５１が大径孔４１に位置すると、小径基部５１が小幅孔４２へ移動される。大径先端部５２は小幅孔４２の幅よりも大きく抜けないため、壁パネル保持部材３が壁パネル２に取り付けられる。このように、所謂だるま孔を用いた係合により壁パネル保持部材３が壁パネル２に取り付けられるため、ビス等の固着具やかしめのための工具や接着剤等が不要で、手間がかからず、簡単に取り付けられる。
【００２１】
次に、前保持片３１と後保持片３２との間に床パン１の起立片１２が挟まれるように壁パネル２が起立片１２に載置されると共に、当接片３４（当接部７）が横片１３（突起部６）の下面に当接して、後保持片３２と当接片３４とで起立片１２を抱え込むように保持する。これにより、壁パネル２の床パン１への取り付け強度が低下してしまうことがなく、支障なくバリアフリー化が図られるものである。
【００２２】
また、図２に示される実施形態のように構成されていてもよい。図１に示される実施形態と異なる部分について説明する。図２に示される実施形態にあっては、突起部６は、本実施形態では起立片１２の下端部から下方に垂下される垂下片１４で構成されると共に、当接部７は、後保持片３２の下端部から前方に連設される下当接片３５と、下当接片３５の前端から上方に連設される前当接片３６とで構成される。
【００２３】
壁パネル２の床パン１への取り付けは、まず、図１に示される実施形態と同様に壁パネル保持部材３が壁パネル２に取り付けられる。次に、前保持片３１と後保持片３２との間に床パン１の起立片１２が挟まれるように壁パネル２が起立片１２に載置される。そして、前当接片３６が垂下片１４の下端部を下方に乗り越えて垂下片１４の前方から押さえ、下当接片３５が垂下片１４の下面に当接して、後保持片３２と下当接片３５と前当接片３６とで垂下片１４を抱え込むように保持する。これにより、壁パネル２の床パン１への取り付け強度が低下してしまうことがなく、支障なくバリアフリー化が図られるものである。
【符号の説明】
【００２４】
１    床パン
１１  床部
１２  起立片
１３  横片
１４  垂下片
２    壁パネル
２１  パネル本体
２２  下横片
２３  後縦片
２４  断熱材
３    壁パネル保持部材
３１  前保持片
３２  後保持片
３３  上連結片
３４  当接片
３５  下当接片
３６  前当接片
４    被取付孔
４１  大径孔
４２  小幅孔
５    取付部
５１  小径基部
５２  大径先端部
６    突起部
７    当接部
【図１】
2012132172.tif 000003
【図２】
2012132172.tif 000004
【図３】
2012132172.tif 000005
【図４】
2012132172.tif 000006